(57)【要約】      （修正有）【課題】精密な立式プレスローダーを提供する。【解決手段】精密な立式プレスローダーは、フレーム１、プレスヘッド２、フレームの頂部に設置される治具台３、プレスヘッド２を駆動する駆動機構を含む。一体に鋳造成形される「[」の形状を呈する圧柱４を採用して、且つ圧柱４とプレスヘッド２が同時に移動するので、精密な立式プレスローダーは、剛性が高く、使用寿命がより長く、精度がより良好である。直線ガイドレール９で位置決めをして移動するので、荷重が軽く、精度が高く、寿命が長い。圧力センサーがリアルタイムに圧力を検出でき、データを記録して、合格率を高め、ビッグデータ（Ｂｉｇ  ｄａｔａ）の要求を提供して、且つ必要な圧力値を設定することもでき、必要な圧力値以上に達する時には、自動的に提示できる。底面の平行度が悪い製品をプレスする時には、プレスヘッド２が駆動機構によって、柔軟な調整をすることができ、製品を壊すことを防止できる。【選択図】図１
0003218704.tif 000002
【実用新案登録請求の範囲】
【請求項１】
フレーム、プレスヘッド、フレームの頂部に設置される治具台、前記プレスヘッドを駆動する駆動機構を含む精密な立式プレスローダーであって、更に、一体に鋳造成形される「[」の形状を呈する圧柱を含み、前記圧柱の下端に前記フレームの内部に伸び込む接続部を有して、前記圧柱の上端に前記駆動機構を取り付けることに用いられる取り付け部を有して、且つ、前記取り付け部が前記治具台の真上に位置して、前記フレームの後壁には、前記圧柱を上下に移動させる行程溝を開設して、前記フレームの内部には、固定ナット、親ねじ及び同期輪からなるナット親ねじが垂直に設置され、前記圧柱と前記フレームとが直線ガイドレールによって接続され、前記フレームの内部に前記圧柱が上下に移動することを制御するサーボモーターが設置され、前記プレスヘッドの頂部に該プレスヘッドと一体となるボールヘッド柱が設置され、前記ボールヘッド柱の頂部に錐ヘッド孔が開設され、前記ボールヘッド柱の外部は前記ボールヘッド柱の上下位置を制限できるボールヘッドカバーで包まれ、前記ボールヘッドカバーの頂部は固定板が固定して接続され、前記固定板が前記取り付け部の下表面に取り付けられ、前記取り付け部には前記駆動機構に制御され上下に伸縮できる針が突き抜け、前記針が前記錐ヘッド孔の内部に伸び、前記針の下端部に径方向が外に延びる錐ヘッド部を有して、前記錐ヘッド孔と前記錐ヘッド部との間が締まりばめとなり、前記プレスヘッドに圧力を検出できる圧力センサーが設置されることを特徴とする精密な立式プレスローダー。
【請求項２】
前記ボールヘッドカバーは上球ヘッドカバーと下球ヘッドカバーから分体で構成され、前記上球ヘッドカバーと前記下球ヘッドカバーが複数のボルトを通じて固定して接続され、且つ前記上球ヘッドカバーに、前記錐ヘッド部が引っ込むことに用いられるガイド孔が開設され、前記錐ヘッド部の高さが前記ガイド孔の深さより小さいことを特徴とする、請求項１に記載の精密な立式プレスローダー。
【請求項３】
前記フレームの内部に、前記サーボモーターを取り付けることに用いられる取り付け座を備え、前記サーボモーターのモーター軸が前記取り付け座を突き抜けて、且つ前記モーター軸の端部に動輪が固定して接続され、前記動輪とタイミングベルトとをベルト又はチェーンを介して接続し、前記親ねじが前記圧柱の接続部を垂直に突き抜けて、止めナットが前記接続部に固定して取り付けられ、同期輪が前記親ねじの下端部に固定して接続され、前記親ねじの上端が軸受けを介して前記フレームの上部に接続され、下端が前記取り付け座を突き抜けて、且つ前記取り付け座と軸受けを介して接続されることを特徴とする、請求項１に記載の精密な立式プレスローダー。
【請求項４】
前記駆動機構は油圧シリンダー、サーボモーター又はシリンダーであることを特徴とする、請求項１に記載の精密な立式プレスローダー。
【考案の詳細な説明】
【技術分野】
【０００１】
本考案は、機械設備の技術分野に属し、プレスローダーに関し、特に精密な立式のプレスローダーに関するものである。
【背景技術】
【０００２】
プレスローダー（Ｐｒｅｓｓ  ｌｏａｄｅｒ）は、部品（例えば、ブッシュ、軸受け）をプレスすることに用いられる機械設備である。現在、常用のプレスローダーは、一般的にはガイド柱型であり、滑板がガイド柱に沿って滑走する。
【考案の概要】
【考案が解決しようとする課題】
【０００３】
しかしながら、プレス行程が長く、活動プレスヘッドの構造が重い時には、運動過程において、活動プレスヘッドはガイド柱の軽微な変形を引き起こすので、同軸度を変える。特に、二つの支持壁板の距離が大きく、ガイド柱が長い時には、引き起こされた変形効果が明らかになる。底面の平行度が悪い製品をプレスする時には、位置決めが正確でないことを引き起こすので、製品を破損させる。
【課題を解決するための手段】
【０００４】
本考案の目的は、剛性が高く、プレスの精度が高く、使用寿命が長い精密な立式プレスローダーを提供することである。
【０００５】
精密な立式プレスローダーは、フレーム、プレスヘッド、フレームの頂部に設置される治具台、前記プレスヘッドを駆動する駆動機構を含む。精密な立式プレスローダーは、更に、一体に鋳造成形される「[」の形状を呈する圧柱を含み、前記圧柱の下端に前記フレームの内部に伸び込む接続部を有して、前記圧柱の上端に前記駆動機構を取り付けることに用いられる取り付け部を有して、且つ、前記取り付け部が前記治具台の真上に位置して、前記フレームの後壁には、前記圧柱を上下に移動させる行程溝を開設して、前記フレームの内部には、固定ナット、親ねじ及び同期輪からなるナット親ねじが垂直に設置され、前記圧柱と前記フレームとが直線ガイドレールによって接続され、前記フレームの内部に前記圧柱が上下に移動することを制御するサーボモーターが設置され、前記プレスヘッドの頂部に該プレスヘッドと一体となるボールヘッド柱が設置され、前記ボールヘッド柱の頂部に錐ヘッド孔が開設され、前記ボールヘッド柱の外部は前記ボールヘッド柱の上下位置を制限できるボールヘッドカバーで包まれ、前記ボールヘッドカバーの頂部は固定板が固定して接続され、前記固定板が前記取り付け部の下表面に取り付けられ、前記取り付け部には前記駆動機構に制御され上下に伸縮できる針が突き抜け、前記針が前記錐ヘッド孔の内部に伸び、前記針の下端部に径方向が外に延びる錐ヘッド部を有して、前記錐ヘッド孔と前記錐ヘッド部との間が締まりばめとなり、前記プレスヘッドに圧力を検出できる圧力センサーが設置される。
【０００６】
前記ボールヘッドカバーは上球ヘッドカバーと下球ヘッドカバーから分離して構成され、前記上球ヘッドカバーと前記下球ヘッドカバーが複数のボルトを通じて固定して接続され、且つ前記上球ヘッドカバーに、前記錐ヘッド部が引っ込むことに用いられるガイド孔が開設され、前記錐ヘッド部の高さが前記ガイド孔の深さより小さい。
【０００７】
前記フレームの内部に、前記サーボモーターを取り付けることに用いられる取り付け座を備え、前記サーボモーターのモーター軸が前記取り付け座を突き抜けて、且つ前記モーター軸の端部に動輪が固定して接続され、前記動輪とタイミングベルトとの間にベルト又はチェーンを介して接続され、前記親ねじが前記圧柱の接続部を垂直に突き抜けて、止めナットが前記接続部に固定して取り付けられ、同期輪が前記親ねじの下端部に固定して接続され、前記親ねじの上端が軸受けを介して前記フレームの上部に接続され、下端が前記取り付け座を突き抜けて、且つ前記取り付け座と軸受けを介して接続される。
【０００８】
前記駆動機構は、油圧シリンダー、サーボモーター又はシリンダーである。
【０００９】
従来技術と比べて、精密な立式プレスローダーは、下記の優れた点を有する。第一に、一体に鋳造成形される「[」の形状を呈する圧柱を採用して、且つ圧柱とプレスヘッドが同時に移動するので、精密な立式プレスローダーは、剛性が高く、使用寿命がより長く、精度がより良好である。第二に、直線ガイドレールで位置決めをして移動するので、荷重が軽く、精度が高く、寿命が長い。第三に、圧力センサーがリアルタイムに圧力を検出でき、データを記録して、合格率を高め、ビッグデータ（Ｂｉｇ  ｄａｔａ）の要求を提供して、且つ必要な圧力値を設定することもでき、必要な圧力値以上に達する時には、自動的に提示できる。第四に、底面の平行度が悪い製品をプレスする時には、プレスヘッドが駆動機構によって、柔軟な調整をすることができ、製品を壊すことを防止できる。第五に、フレームの前部に余分な機械構造がないので、材料を取り付ける空間及び材料を取り外す空間がより大きく、クリーンで材料を運び込むことができる。
【００１０】
以下、図面を参照して、本考案の精密な立式プレスローダーについて詳しく説明する。
【図面の簡単な説明】
【００１１】
【図１】精密な立式プレスローダーの断面の構造を示す図である。
【図２】精密な立式プレスローダーにおけるプレスヘッドの構造を示す図である。
【考案を実施するための形態】
【００１２】
以下、図面を結合して本考案の具体的な実施例を説明する。図１、図２を参照すると、精密な立式プレスローダーは、フレーム１、プレスヘッド２、フレーム１の頂部に設置される治具台３、プレスヘッド２を駆動する駆動機構及び一体に鋳造成形される「[」の形状を呈する圧柱４を含み、圧柱４の下端にフレーム１の内部に伸び込む接続部４ａを有して、圧柱４の上端に駆動機構を取り付けることに用いられる取り付け部４ｂを有して、且つ、取り付け部４ｂが治具台３の真上に位置して、フレーム１の後壁には、圧柱４を上下に移動させる行程溝５を開設して、フレーム１の内部には、固定ナット６、親ねじ７及び同期輪８からなるナット親ねじが垂直に設置される。圧柱４とフレーム１とが直線ガイドレール９によって接続され、フレーム１の内部に圧柱４が上下に移動することを制御するサーボモーター１０が設置され、プレスヘッド２の頂部にプレスヘッド２と一体となるボールヘッド柱１１が設置され、ボールヘッド柱１１の頂部に錐ヘッド孔１２が開設され、ボールヘッド柱１１の外部はボールヘッド柱１１の上下位置を制限できるボールヘッドカバー１３で包まれ、ボールヘッドカバー１３の頂部は固定板１４が固定して接続され、固定板１４が取り付け部４ｂの下表面に取り付けられ、取り付け部４ｂには駆動機構に制御され上下に伸縮できる針１５が突き抜け、針１５が錐ヘッド孔１２の内部に伸び、針１５の下端部に径方向が外に延びる錐ヘッド部１５ａを有して、錐ヘッド孔１２と錐ヘッド部１５ａとが締まりばめ（Ｉｎｔｅｒｆｅｒｅｎｃｅ  ｆｉｔ）となり、プレスヘッド２に、圧力を検出できる圧力センサー１６が設置され、ボールヘッドカバー１３は上球ヘッドカバー１７と下球ヘッドカバー１８から分体で構成され、上球ヘッドカバー１７と下球ヘッドカバー１８が複数のボルト１９を通じて固定して接続される。且つ上球ヘッドカバー１７に、錐ヘッド部１５ａが引っ込むことに用いられるガイド孔２０が開設され、錐ヘッド部１５ａの高さがガイド孔２０の深さより小さい。
【００１３】
精密な立式プレスローダーの作動原理は、下記の通りである。プレスしようとする部品を治具台３に取り付けられた位置決めの治具に置き、駆動機構が針１５を引っ張って動かして、針１５に針１５と嵌合する錐ヘッド孔１２の内部を下へ移動させる。このようにすると、ボールヘッド柱１１が回転できず、プレスヘッド２がロック状態になり、サーボモーター１０によって、圧柱４が下へ移動して、圧柱４の上端に設置されるプレスヘッド２が部品に触ると、プレスを行う。プレスが終わると、サーボモーター１０が圧柱４を引っ張って、圧柱４にリセットさせる。底面の平行度が悪い製品をプレスする時には、プレスヘッド２が耐えられる圧力が大きくなり、プレスヘッド２に取り付けられる圧力センサー１６が信号をシステムに伝送して、システムは、駆動機構に針１５を引っ張って動かさせ、針１５にガイド孔２０の内部を上へ移動させるという指令を出す。このようにすると、ボールヘッド柱１１が回転できるので、プレスヘッド２が駆動機構によって、柔軟な調整をすることができ、製品を壊すことを防止できる。
【００１４】
更に、精密な立式プレスローダーにおける好ましい構造を詳しく説明する。フレーム１の内部に、サーボモーター１０を取り付けることに用いられる取り付け座２１を備え、サーボモーター１０のモーター軸が取り付け座２１を突き抜けて、且つモーター軸の端部に動輪２２が固定して接続され、動輪２２とタイミングベルトとをベルト又はチェーンを介して接続し、親ねじ７が圧柱４の接続部４ａを垂直に突き抜けて、固定ナット６が接続部４ａに固定して取り付けられ、同期輪８が親ねじ７の下端部に固定して接続され、親ねじ７の上端が軸受けを介してフレーム１の上部に接続され、下端が取り付け座２１を突き抜けて、且つ取り付け座２１と軸受けを介して接続され、駆動機構が油圧シリンダー、サーボモーター１０又はシリンダーであり、サーボモーター１０を台座の内部に設置して、プレスローダーの体積を減少させることができ、且つモーターの作動の安定性を確保できる。
【００１５】
上記のような実施例は、本考案の技術構想及び特徴を説明するだけのものであり、その目的は、当業者に本考案の内容をよく理解させ、本考案の内容によって実施できることであり、これにより、本考案の保護範囲を制限することはできない。当業者にとって、本考案の実質及び精神から離脱しない範囲において、様々な変更及び変形を行なうことができ、これらは本考案の保護範囲に属する。
【図１】
0003218704.tif 000003
【図２】
0003218704.tif 000004